(57)【要約】【課題】通常のヘッドレスト本体を使用することが可能であり、また、スピーカ取付用開口を有しない浴槽にも設置することができるスピーカ付きヘッドレストと、このスピーカ付きヘッドレストを備えた浴槽を提供する。【解決手段】スピーカ付きヘッドレスト１は、入浴者の頭部Ｈを受承するヘッドレスト本体２と、該ヘッドレスト本体２が装着されたヘッドレスト支持部材３と、該ヘッドレスト支持部材３の両端にヒンジピン８を介して回動可能に連結されたスピーカ取付部材としてのアーム４と、該アーム４の先端側に取り付けられたスピーカ５とを備えている。スピーカ５を入浴者頭部Ｈの左右両側に配置した状態において、スピーカ５の音放出面５ａは入浴者頭部Ｈを指向している。【選択図】図１
2013183334.tif 000002
【特許請求の範囲】
【請求項１】
入浴者の頭部を受承するヘッドレスト本体とスピーカとを有する浴槽用ヘッドレストにおいて、
該ヘッドレスト本体がヘッドレスト支持部材に支持されており、
該スピーカが、該ヘッドレスト本体に受承された入浴者の頭部の両側方位置に配置されており、
該スピーカは、スピーカ取付部材を介して該ヘッドレスト支持部材に支持されていることを特徴とするスピーカ付きヘッドレスト。
【請求項２】
請求項１において、前記スピーカの向きが変更可能となっていることを特徴とするスピーカ付きヘッドレスト。
【請求項３】
請求項１又は２において、前記スピーカ取付部材は、基端側が前記ヘッドレスト支持部材に連結され、該ヘッドレスト支持部材から離反する方向に延在しており、
該スピーカ取付部材の先端側に前記スピーカが設置されており、
該スピーカ取付部材は、該基端側を回動中心として回動可能となっていることを特徴とするスピーカ付きヘッドレスト。
【請求項４】
請求項１ないし３のいずれか１項のスピーカ付きヘッドレストを備えた浴槽。
【発明の詳細な説明】
【技術分野】
【０００１】
本発明は、浴槽に設置されるスピーカ付きヘッドレストと、このスピーカ付きヘッドレストを備えた浴槽に関する。
【背景技術】
【０００２】
入浴中に音楽等を聴くことができるようにするために、浴槽のヘッドレスト又はその近傍にスピーカを配置することが特許文献１〜３に記載されている。
【０００３】
特許文献１では、浴槽の一端側にヘッドレスト部を設け、該ヘッドレスト部の左右の浴槽上面にスピーカ収容部を形成し、このスピーカ収容部内にスピーカを収めている（００２４段落及び図２）。
【０００４】
特許文献２では、浴槽の一端側の上面を凹ませてヘッドレストを形成している。このヘッドレストを挟んだ両側にスピーカが埋設されている（００１６段落及び図１，２）。
【０００５】
特許文献３では、浴槽フランジに頭部支持具を設置し、この頭部支持具の筐体内に空気振動式のスピーカを設置している。また、この空気振動式のスピーカ同士の間に骨伝導スピーカを設置している。
【先行技術文献】
【特許文献】
【０００６】
【特許文献１】特開平７−２０３５９６
【特許文献２】特開２００２−１０１４８２
【特許文献３】特開２００７−２２８３０６
【発明の概要】
【発明が解決しようとする課題】
【０００７】
上記特許文献３のスピーカ付きヘッドレストでは、ヘッドレストの筐体内にスピーカを設置しており、特殊形状のヘッドレストが必要である。
【０００８】
また、上記特許文献１，２のスピーカ付きヘッドレストでは、浴槽にスピーカを設置するところから、浴槽にスピーカ取付用開口が必要である。そのため、このような開口を有しない通常の浴槽には適用できない。
【０００９】
本発明は、通常のヘッドレスト本体を使用することが可能であり、また、スピーカ取付用開口を有しない浴槽にもスピーカを設置することができるスピーカ付きヘッドレストを提供することを目的とする。また、本発明は、このスピーカ付きヘッドレストを備えた浴槽を提供することを目的とする。
【課題を解決するための手段】
【００１０】
本発明のスピーカ付きヘッドレストは、入浴者の頭部を受承するヘッドレスト本体とスピーカとを有する浴槽用ヘッドレストにおいて、該ヘッドレスト本体がヘッドレスト支持部材に支持されており、該スピーカが、該ヘッドレスト本体に受承された入浴者の頭部の両側方位置に配置されており、該スピーカは、スピーカ取付部材を介して該ヘッドレスト支持部材に支持されていることを特徴とするものである。
【００１１】
本発明の浴槽は、かかる本発明のスピーカ付きヘッドレストを備えたものである。
【００１２】
本発明では、スピーカの向きを変更可能としてもよい。また、本発明では、ヘッドレスト支持部材に前記スピーカ取付部材の基端側を回動可能に連結し、このスピーカ取付部材の先端側にスピーカを設置してもよい。
【発明の効果】
【００１３】
本発明のスピーカ付きヘッドレストにあっては、スピーカがヘッドレスト本体と別個に設けられており、スピーカ及びヘッドレスト本体として互いの形状、構成に制約されることなく、各種のものを用いることができる。
【００１４】
本発明にあっては、スピーカがスピーカ取付部材を介してヘッドレスト支持部材に取り付けられており、浴槽としてスピーカ設置用開口を有しない一般的な浴槽を用いることができる。
【００１５】
スピーカの向きを変更可能としたり、スピーカ取付部材を回動可能とすることにより、スピーカの位置や音放出面の向きを種々変えることができる。また、スピーカの音放出面を入浴者の側頭部に対峙させ、音楽等が浴室外に漏れることを抑制することができる。
【図面の簡単な説明】
【００１６】
【図１】実施の形態に係るスピーカ付きヘッドレストの斜視図である。
【図２】実施の形態に係るスピーカ付きヘッドレストの平面図である。
【図３】実施の形態に係るスピーカ付きヘッドレストの正面図である。
【図４】実施の形態に係るスピーカ付きヘッドレストの右側面図である。
【発明を実施するための形態】
【００１７】
以下、図１〜４を参照して実施の形態について説明する。
【００１８】
このスピーカ付きヘッドレスト１は、入浴者の頭部Ｈを受承するヘッドレスト本体２と、該ヘッドレスト本体２が装着されたヘッドレスト支持部材３と、該ヘッドレスト支持部材３の両端にヒンジピン８を介して回動可能に連結されたスピーカ取付部材としてのアーム４と、該アーム４の先端側に取り付けられたスピーカ５等を備えている。
【００１９】
ヘッドレスト本体２は、発泡合成樹脂、ゴムなど弾力性を有した材料にて構成された略円筒形部材である。ヘッドレスト本体２には、スリ割り２ａが設けられており、このスリ割り２ａを押し開くことによりヘッドレスト支持部材３に着脱できるよう構成されている。
【００２０】
ヘッドレスト支持部材３は中空管状であり、この実施の形態では水平面内において浴槽内側が凹となるように緩く湾曲しているが、屈曲していてもよく、また直管状であってもよい。ヘッドレスト支持部材３には２個の脚部材６（図３，４）が下方に延設されている。この脚部材６の下端に雄螺子が刻設されている。この脚部材６が浴槽Ｂのフランジ上面のヘッドレスト取付孔に差し込まれ、ナット７を締め込むことによりスピーカ付きヘッドレスト１が浴槽Ｂに取り付けられる。
【００２１】
ヘッドレスト支持部材３の両端側は、中実形状となっており、この両端部の上面は平坦面となっている。アーム（スピーカ取付部材）４は、中空管状であるが、基端側及び先端側は中実である。また、基端側の下面は平坦部となっており、ヘッドレスト支持部材３の端部の平坦な上面の上に重なっている。ヘッドレスト支持部材３の両端及びアーム４の基端部には、上下方向に貫通したヒンジ孔が設けられており、このヒンジ孔に前記ヒンジピン８が挿通されている。
【００２２】
アーム４は、該ヒンジピン８を回動中心として図２の矢印ａの通り水平面内で回動可能となっている。
【００２３】
該アーム４の先端側に中空管状の支持軸１０が立設され、該支持軸１０にスピーカ５が取り付けられている。スピーカ５は、図２の矢印ｂの通り、該支持軸１０を回動中心として回動可能となっているが、アーム４に対して固定設置されてもよい。なお、図１〜４の通り、スピーカ５を入浴者頭部Ｈの左右両側に配置した状態において、スピーカ５の音放出面５ａは入浴者頭部Ｈの側頭部特に耳に対峙している。
【００２４】
スピーカ５と音響装置とを接続するハーネス１１は、支持軸１０、アーム４、ヘッドレスト支持部材３、脚部材６に挿通されている。アーム４とヘッドレスト支持部材３との連結部にあっては、ハーネス１１はアーム４及びヘッドレスト支持部材３外に引き回されている。
【００２５】
このように構成されたスピーカ付きヘッドレスト１及びこのスピーカ付きヘッドレスト１を備えた浴槽Ｂにあっては、入浴者が後頭部をヘッドレスト本体２に当てる入浴姿勢をとり、頭部Ｈの左右両側にスピーカ５を配置し、音放出面５ａを入浴者側頭部に対峙させた状態で音楽等を聴くことができる。この場合、浴室外への音の漏れを抑制することができる。
【００２６】
また、図２の矢印ａに沿ってアーム４を回動させると、スピーカ５がヘッドレスト本体２の左右両側方に位置し、音放出面５ａがヘッドレスト前方を指向した状態となるので、浴室全体で音楽等を聴くのに適したものとなる。
【００２７】
なお、スピーカ５を図２の矢印ｂのように回動可能としておくと、アーム４を図２の位置よりも若干頭部Ｈから遠い位置に配置し、且つ音放出面５ａを頭部Ｈを指向させるように向きを調節することができる。
【００２８】
この実施の形態では、アーム４が回動可能であり、スピーカ５の位置や向きを変えることができるので、入浴者の好みや頭部の大きさに合った位置にスピーカ５を配置することができると共に、浴室全体で音楽等を聴くのに適した配置及びスピーカ指向方向とすることもできる。
【００２９】
このスピーカ付きヘッドレスト１は、スピーカ５がアーム（スピーカ取付部材）４を介してヘッドレスト支持部材３に支持されており、浴槽Ｂとしてスピーカ設置用開口を有しない通常の浴槽を用いることができる。
【００３０】
また、スピーカ５はヘッドレスト本体２と別個に設けられており、ヘッドレスト本体２及びスピーカ５としても互いの形状、構成に制約されることなく各種のものを用いることができる。
【００３１】
上記実施の形態は本発明の一例であり、本発明は図示以外の形態とされてもよい。例えば、ヘッドレスト本体２の高さ調節機構を設けてもよい。また、スピーカ付きヘッドレスト１に音響装置の操作スイッチを設けてもよい。
【符号の説明】
【００３２】
１  スピーカ付きヘッドレスト
２  ヘッドレスト本体
３  ヘッドレスト支持部材
４  アーム（スピーカ取付部材）
５  スピーカ
Ｂ  浴槽
【図１】
2013183334.tif 000003
【図２】
2013183334.tif 000004
【図３】
2013183334.tif 000005
【図４】
2013183334.tif 000006